(57)【要約】【課題】  従来の携帯情報機器では、使用者が、表示部に表示された表示情報に従い操作する際に、表示情報内のヘルプ情報を見たい場合に、両方の情報を同時に見ることができず、操作性が悪いという問題があった。【解決手段】  本発明の携帯情報機器１では、主表示部４に表示された表示情報内のヘルプ情報が副表示部５に表示され、使用者は、主表示部４の表示情報を見ながら、副表示部５のヘルプ情報を同時に可視することができる。つまり、使用者は、ヘルプ情報を参照する際に副表示部５を用いることで、両表示部４、５を使いながらキー操作を行えるので操作性を向上させることができる。また、副表示部５は、必要時以外には収納した状態で扱えるので、利便性、携帯性も向上させることができる。【選択図】    図１
2005310005.tif 000002
【特許請求の範囲】
【請求項１】
主表示部と、該主表示部と同時に可視可能な副表示部とから成る表示手段と、
前記主表示部の表示情報に関連するヘルプ情報を前記副表示部に表示させる表示制御手段とを有することを特徴とする携帯情報機器。
【請求項２】
前記主表示部の表示情報と前記副表示部のヘルプ情報とを切り替えて表示させる表示切替手段とを有することを特徴とする請求項１に記載の携帯情報機器。
【請求項３】
前記ヘルプ情報は、前記主表示部の表示情報のうちカーソル選択されている部分に関連する情報であることを特徴とする請求項２に記載の携帯情報機器。
【請求項４】
前記ヘルプ情報は、前記主表示部の表示情報に関連する操作説明情報であることを特徴とする請求項３に記載の携帯情報機器。
【請求項５】
前記表示制御手段は、前記主表示部の表示情報のうちカーソル選択された部分を、少なくとも前記副表示部に表示させることを特徴とする請求項３に記載の携帯情報機器。
【請求項６】
前記表示制御手段は、前記主表示部に表示されたヘルプ情報のうちカーソル選択されている部分へのヘルプ情報を前記副表示部に表示させることを特徴とする請求項５に記載の携帯情報機器。
【請求項７】
前記主表示部が配置された表面側筐体と前記副表示部が配置された裏面側筐体とは連結機構を介して連結され、前記副表示部は前記主表示部に対して移動可能となることを特徴とする請求項１に記載の携帯情報機器。
【請求項８】
主表示が配置された表面側筐体の裏面に、副表示部が配置された裏面側筐体が前記表面側筐体の裏面に沿って上下又は左右に移動できるようにスライド機構により連結され、
前記表面側筐体と前記裏面側筐体とは、前記スライド機構により、前記裏面側筐体が前記表面側筐体の裏面へと重ね合わさる閉成状態と、前記裏面側筐体が前記表面側筐体の裏面より外部に露出される開成状態とを成し、
前記開成状態において、前記副表示部が前記表面側筐体の裏面より外部に露出され、可視状態と成ることを特徴とする携帯情報機器。
【発明の詳細な説明】
【技術分野】
【０００１】
本発明は、少なくとも主表示部と副表示部との２つの表示部を有する携帯情報機器に関する。
【背景技術】
【０００２】
携帯電話等の移動体通信端末や、ＰＤＡ（Ｐｅｒｓｏｎａｌ  Ｄｉｇｉｔａｌ  Ａｓｓｉｓｔａｎｔ）等の携帯端末に代表される、従来の携帯情報機器においては、複数の表示部が配置されているものが知られている。例えば、携帯情報機器には、第１表示部及び第２表示部が配置され、ヒンジ部の回転状態により、使用者は、両表示部を同時に可視することができる。尚、ここでいう「同時に可視する」とは、携帯情報機器が第１表示部及び第２表示部のような複数の表示部を有する場合に、ある時間帯（タイミング）において両表示部が共に表示され、使用者が両表示部を共に可視できるという意味であり、必ずしも全ての時間帯で両表示部の点灯と消灯とのタイミングが完全に一致する場合に限定する意味ではない。そして、第１表示部に選択画面が表示され、第２表示部に操作キーの操作によって選択された画面が表示されているものがある（例えば、特許文献１参照）。
【特許文献１】特開２００３−１９８６８５号公報（第５−７頁、第４−６図）
【発明の開示】
【発明が解決しようとする課題】
【０００３】
上述したように、従来の携帯情報機器では、複数の表示部が配置されているものが知られている。そして、例えば、第１表示部には、上位の階層の画面が表示されると共に、第２表示部には第１表示部に表示される表示情報よりも階層的に下位層の表示情報が表示され、使用者の操作性の向上が図られていた。しかしながら、従来の携帯情報機器では、使用者が、画面に表示された表示情報に従ってキー操作を行っている時に、表示情報に関するヘルプ情報の表示が必要な場合があった。そして、この場合には、１つの表示部で、表示情報からヘルプ情報へと切り替えられていた。そして、使用者は、表示部に表示されたヘルプ情報を確認した後、再び、表示部に表示情報を表示させる操作が必要となり、操作性が悪いという問題があった。
【０００４】
尚、ここでいう「表示情報」とは、主に、主表示部に表示される一般的なメニューリスト情報、操作誘導情報を指し、代表的なものとして、カメラモード、メールモード等の各アプリケーションの操作誘導情報等が挙げられる。また、ここでいう「ヘルプ情報」とは、主表示部（又は副表示部）に表示される表示情報に関して、使用者（操作者）の機器使用を支援する情報全般を指し、代表的なものとして、操作方法を説明する情報や機器の動作内容を説明する情報などが挙げられる。
【０００５】
また、従来の携帯情報機器では、第１表示部と第２表示部とが同時に視認可能な位置に配置され、両画面を用いて、一度に２階層分の階層表示がされていた。しかしながら、従来の携帯情報機器では、一度に２階層分の階層表示がされる際には、第１表示部及び第２表示部が、視認可能な位置に配置され続ける必要があった。そのため、携帯情報機器自体が大きくなってしまい、使用者にとって、携帯性が損なわれるという問題があった。
【０００６】
また、従来の携帯情報機器では、第１表示部と第２表示部とを同時に用いて、一度に２階層分の階層表示がされていた。しかしながら、従来の携帯情報機器では、一度に２階層分の階層表示がされる際には、第１表示部及び第２表示部に電源が供給され続ける必要があり、消費電力を抑えることが困難であるという問題があった。
【０００７】
本発明は、少なくとも主表示部及び副表示部を有し、主表示部及び副表示部を同時に可視することができる携帯情報機器に関し、使用者は、主に、主表示部に表示された表示情報に従い操作を行う一方で、主表示部の表示情報に関するヘルプ情報を確認したい場合には、副表示部にヘルプ情報を表示させることができる。使用者は、必要に応じて副表示部を用いることができるので、使用者の操作性及び携帯性が向上され、また、携帯情報機器の消費電力の低減が図られる。
【課題を解決するための手段】
【０００８】
上述した各事情に鑑みて成されたものであり、本発明の携帯情報機器では、主表示部と、該主表示部と同時に可視可能な副表示部とから成る表示手段と、前記主表示部の表示情報に関連するヘルプ情報を前記副表示部に表示させる表示制御手段とを有することを特徴とする。従って、本発明の携帯情報機器では、主表示部と同時に可視することができる副表示部とを有し、副表示部には、必要に応じて、主表示部に表示された表示情報のヘルプ情報が表示される。
【０００９】
また、本発明の携帯情報機器では、前記主表示部の表示情報と前記副表示部のヘルプ情報とを切り替えて表示させる表示切替手段とを有することを特徴とする。従って、本発明の携帯情報機器では、使用者の選択により、主表示部に表示された表示情報と副表示部に表示されたヘルプ情報とを切り替えて、それぞれの表示部に表示させることができる。使用者は、副表示部に表示されたヘルプ情報が、副表示部に表示しきれない場合には、主表示部にヘルプ情報を表示させ、該ヘルプ情報を確認することができる。
【００１０】
また、本発明の携帯情報機器では、前記ヘルプ情報は、前記主表示部の表示情報のうちカーソル選択されている部分に関連する情報であることを特徴とする。従って、本発明の携帯情報機器では、使用者は、必要に応じて、主表示部に表示された表示情報の中から所望の情報に関するヘルプ情報を副表示部に表示させ、確認することができる。
【００１１】
また、本発明の携帯情報機器では、前記ヘルプ情報は、前記主表示部の表示情報に関連する操作説明情報であることを特徴とする。従って、本発明の携帯情報機器では、使用者は、主表示部に表示された表示情報を確認し、該表示情報に基づきキー操作を行いがら、副表示部に表示されたヘルプ情報を確認することができる。
【００１２】
また、本発明の携帯情報機器では、前記表示制御手段は、前記主表示部の表示情報のうちカーソル選択された部分を、少なくとも前記副表示部に表示させることを特徴とする。従って、本発明の携帯情報機器では、主表示部と副表示部との表示領域の大きさが異なる場合（即ち、主表示部と副表示部とで、表示できる情報量、例えば、文字数や画素数が異なる場合も含む）でも、使用者は、副表示部で、ヘルプ情報と関連する表示情報を確認することができる。
【００１３】
また、本発明の携帯情報機器では、前記表示制御手段は、前記主表示部に表示されたヘルプ情報のうちカーソル選択されている部分へのヘルプ情報を前記副表示部に表示させることを特徴とする。従って、本発明の携帯情報機器では、使用者は、主表示部に表示されたヘルプ情報に含まれる情報に関連するヘルプ情報を副表示部で確認することができる。
【００１４】
また、本発明の携帯情報機器では、前記主表示部が配置された表面側筐体と前記副表示部が配置された裏面側筐体とは連結機構を介して連結され、前記副表示部は前記主表示部に対して移動可能となることを特徴とする。従って、本発明の携帯情報機器では、裏面側筐体は、連結機構により表面側筐体と連結され、且つ、該連結機構を介して表面側筐体に対して移動可能となる。
【００１５】
また、本発明の携帯情報機器では、主表示が配置された表面側筐体の裏面に、副表示部が配置された裏面側筐体が前記表面側筐体の裏面に沿って上下又は左右に移動できるようにスライド機構により連結され、前記表面側筐体と前記裏面側筐体とは、前記スライド機構により、前記裏面側筐体が前記表面側筐体の裏面へと重ね合わさる閉成状態と、前記裏面側筐体が前記表面側筐体の裏面より外部に露出される開成状態とを成し、前記開成状態において、前記副表示部が前記表面側筐体の裏面より外部に露出され、可視状態と成ることを特徴とする。従って、本発明の携帯情報機器では、裏面側筐体は、スライド機構を介して表面側筐体に対して上下、左右方向に移動することができる。そして、携帯情報機器が開成状態では、裏面側筐体に配置された副表示部が表面側筐体の裏面から露出し、使用者は、主表示部及び副表示部を同時に可視することができる。
【発明の効果】
【００１６】
本発明の携帯情報機器では、使用者の必要に応じて、少なくとも主表示部と同時に可視することができる副表示部が配置されている。使用者は、主表示部に表示された表示情報の中でヘルプ情報を有する画像表示領域（画面上の単語、文、行又はアイコン等）を選択すると、副表示部に表示されたヘルプ情報を主表示部の表示情報と同時に可視することができる。使用者は、主表示部の表示情報を可視しながら、副表示部のヘルプ情報を参照できるので、１つの表示部に表示情報とそのヘルプ情報とを切り替えて表示させる操作が省略でき、使用者の操作性を向上させることができる。
【００１７】
また、本発明の携帯情報機器では、主表示部に表示された表示情報と副表示部に表示されたヘルプ情報とは、使用者の選択により、切り替えて両表示部に表示させることができる。使用者は、副表示部の表示領域が小さく、副表示部にヘルプ情報の全てが一度に表示されない場合には、副表示部よりも表示領域の大きい主表示部にヘルプ情報を表示させることができる。
【００１８】
また、本発明の携帯情報機器では、使用者は、主表示部に表示された表示情報に従い操作する過程で、表示情報に関するヘルプ情報を副表示部に表示させることができる。使用者は、主表示部に表示された表示情報を可視しながら、必要に応じて主表示部と副表示部とを同時に可視し、キー操作等を行う。一方、使用者は、必要がないときは副表示部を収納した状態で、携帯情報機器を用いることができるので、使用者の携帯性を向上させる。また、この構造により、携帯情報機器が開成状態の場合に、副表示部に電源を供給すれば良く、電力消費を低減し、電源の長寿命化を実現できる。
【発明を実施するための最良の形態】
【００１９】
以下に、本発明における一実施の形態について、図１〜図７を参照にして詳細に説明する。本発明は、任意の携帯情報機器に適用できるが、以下では、好適な実施の形態として、ストレート式の携帯電話機について説明する。尚、以下では、ストレート式の携帯電話機が示されているが、この形態に限定されるものではなく、例えば、折り畳み可能な携帯電話機の場合でも良い。また、カメラ機能を備えた携帯電話機の場合でも良い。
【００２０】
図１は、本発明の一実施の形態である携帯電話機が開成状態である（Ａ）正面図、（Ｂ）側面図である。図２は、同携帯電話機が閉成状態である（Ａ）正面図、（Ｂ）側面図である。図３は、同携帯電話機のスライド式構造を説明するための（Ａ）展開図、（Ｂ）展開図である。図４は、同携帯電話機の電気的構成を説明する概略機能ブロック図である。
【００２１】
先ず、図１（Ａ）及び（Ｂ）に示す如く、携帯電話機１は、主表示部４が配置された表面側筐体２と、副表示部５が配置された裏面側筐体３とが、スライド機構により連結されている。表面側筐体２には、例えば、スピーカ６が表面側筐体２の上方中央に配置され、マイク７は表面側筐体２の下方中央に配置されている。また、キー操作部８が、表面側筐体２の主表示部４の下方に配置されている。そして、キー操作部８は、例えば、電源投入するための電源キー、メール機能を起動させるメールキー、数字入力及び文字入力を行うテンキー等から構成されている。
【００２２】
一方、図示の如く、上方に副表示部５が配置された裏面側筐体３は、スライド機構を介して、表面側筐体２の上方へとスライドする。そして、裏面側筐体３が、表面側筐体２に対して開成状態となると、副表示部５は、主表示部４の上方へと配置され、使用者は、同時に、主表示部４及び副表示部５を可視することができる。そして、本実施の形態では、裏面側筐体３は、少なくとも副表示部５が表面側筐体２から露出する程度、スライドする構造であればよい。
【００２３】
図２（Ａ）及び（Ｂ）に示す如く、副表示部５を使用しない場合には、裏面側筐体３は、表面側筐体２と重畳するように収納される。この機構により、使用者は、副表示部５を用いない場合には、副表示部５を完全に表面側筐体２裏面へと収納した状態で、携帯電話機１を利用できる。例えば、使用者が、主表示部４を用いる普段の操作状態では、副表示部５が収納された閉成状態となり、携帯電話機１自体が大型化することがない。この閉成状態では、副表示部５は表面側筐体２の裏面によりカバーされた状態となり、副表示部５表面に傷、汚れ、摩耗、破損等が発生することを低減できる。
【００２４】
また、使用者は、必要に応じて、携帯電話機１を開成状態とし、副表示部５を利用できるので、ユーザビリティや操作性を向上できる。
【００２５】
尚、図１及び図２では、主表示部４が配置された表面側筐体２と、副表示部５が配置された裏面側筐体３とが、スライド機構により連結されている場合について説明したが、この場合に限定する必要はない。詳細は、図５から図７を用いて後述するが、本実施の形態では、主表示部５に表示された表示情報内の文字等に関連するヘルプ情報を副表示部５に表示させる。そして、使用者は、副表示部５に表示されたヘルプ情報を確認しながら、主表示部４に表示された表示情報に従い、キー操作を行うことができる。そのため、例えば、主表示部４が配置された表面側筐体２と、副表示部５が配置された裏面側筐体３とが、必ずしも連結している必要はない。また、副表示部５にヘルプ情報を表示する場合には、副表示部５が、主表示部４と同時に可視できるような構造であれば、主表示部４が配置された表面側筐体２と、副表示部５が配置された裏面側筐体３とが、例えば、折り畳み式機構により連結している場合でも良い。
【００２６】
また、図１及び図２では、副表示部５が、表面側筐体２の裏面と対峙する側の裏面側筐体３に配置された場合を示したが、この場合に限定する必要はない。例えば、裏面側筐体３の両面に表示部が配置される場合でも良い。
【００２７】
次に、図３に示す如く、表面側筐体２と裏面側筐体３とが、スライド機構で連結している構造を説明する。尚、このスライド機構の連結構造の一例として、特開２００３−１７９６７８号公報に開示されている構造等がある。
【００２８】
本実施の形態では、係止解除操作体１１を操作すると、閉成状態にある表面側筐体２と裏面側筐体３とのロック機構が解除する。そして、スライド機構により、裏面側筐体３が、表面側筐体２に対し上方にスライドし、表面側筐体２と裏面側筐体３とが開成状態となる。そして、図示したように、裏面側筐体３の両側面１２には、それぞれガイドレール１３、１４が取付けられている。
【００２９】
表面側筐体２の側面１５、１６は、表面側筐体２の裏面に対して凸状となり、その側面１５、１６の内側には、ガイドレール１３、１４を案内する案内溝１７、１８が形成されている。そして、表面側筐体２の側面１６の上部には、係止解除操作体１１が配置される凹部１９が形成されている。
【００３０】
上述した構造により、携帯電話機１が閉成状態となる場合には、裏面側筐体３は、ガイドレール１３、１４により、表面側筐体２の側面１５、１６の内側へと収納される。一方、携帯電話機１が開成状態となる場合には、裏面側筐体３は、ガイドレール１３、１４により、表面側筐体２に対して上方へとスライドし、少なくとも副表示部５が主表示部４と同時に可視できる位置へと配置される。
【００３１】
尚、図３では、裏面側筐体３が表面側筐体２に対して上下方向にスライドし、副表示部５が主表示部４の上方に露出する場合について説明したが、この場合に限定する必要はない。例えば、副表示部５が主表示部４の下方に露出する場合でも良い。また、図３を用いて説明したスライド機構を、表面側筐体２と裏面側筐体３との上下側面に配置し、裏面側筐体３が表面側筐体２に対して左右方向にスライドし、副表示部５が主表示部４の横方向に露出する場合でも良い。
【００３２】
次に、図４に示す如く、携帯電話機１の電気的構成を説明する。携帯電話機１は、主に、主表示部４、副表示部５、スピーカ６、マイク７、キー操作部８、制御部２０、通信制御部２１、アンテナ２２、音声処理部２３、データ記憶部２４、表示制御部２５、電源制御部２６、電源２７、磁気センサー２８、バス２９等を備えている。
【００３３】
主表示部４及び副表示部５は、液晶ディスプレイおよびＥＬ（Ｅｌｅｃｔｒｏ  Ｌｕｍｉｎｅｓｃｅｎｓｅ）ディスプレイなどで実現され、表示制御部２５を介して、送られてくる画像データに基づく画像を表示する。表示制御部２５は、制御部２０の制御信号に基づき、主表示部４及び副表示部５に表示しようとする文字データ、画像データに従って、主表示部４及び副表示部５の各画素電極に対して駆動電圧を印加する。本実施の形態では、表示制御部２５は、制御部２０からの制御信号に基づき、主表示部４及び副表示部５に文字データ等を同時に表示させることができる。また、表示制御部２５では、主表示部４に表示させた文字データ等と副表示部５に表示させた文字データ等を切り替えて、それぞれの表示部４、５に表示させることもできる。
【００３４】
スピーカ６は、音声処理部２３から送られたアナログ信号を音声に変換し、出力する。マイク７は、外部音声を拾い、アナログ信号を音声処理部２３へと送る。音声処理部２３は、制御部２０からの制御信号に基づき、デジタル信号をアナログ信号に変換し、あるいは、アナログ信号をデジタル信号へと変換する。
【００３５】
キー操作部８は、上述したように、数字および文字を入力するためのテンキーなどから構成される。
【００３６】
本実施の形態では、キー操作部８には、表示切替手段として、例えば、主表示部４に表示された表示情報と副表示部５に表示されたヘルプ情報とを切り替えて、それぞれの表示部４、５に表示させる表示切替キーが設けられている。使用者が、副表示部５に表示しきれないヘルプ情報を、主表示部４に表示させ、確認したい場合には、表示切替キーを押下することで、主表示部４と副表示部５とのそれぞれに表示された表示情報が切り替えて表示される。
【００３７】
尚、主表示部４及び副表示部５の表示情報を切り替える手段としては、表示切替キーによる場合に限定するものではない。例えば、主表示部４に表示された表示切替アイコンに対応するキー操作部８を押下する場合でも良い。
【００３８】
制御部２０は、携帯電話機１を構成する各部位の動作を制御する。そして、制御部２０は、例えば、ＣＰＵ（Ｃｅｎｔｒａｌ  Ｐｒｏｃｅｓｓｉｎｇ  Ｕｎｉｔ）などのマイクロプロセッサを含んでいる。
【００３９】
通信制御部２１は、受信時には、制御部２０からの制御信号に基づき、受信データの中で復調した文字データ等をデータ記憶部２４に記憶させる。また、通信制御部２１は、送信時には、制御部２０の制御信号に基づき、文字データ等を変調して増幅し、アンテナ２２を介して基地局に送信させる。
【００４０】
アンテナ２２は、無線電波を介して基地局と無線通信を行うときに、音声データ、文字データまたは画像データなどを送受信する。
【００４１】
データ記憶部２４は、読み出し及び書き込み可能なＲＡＭ（Ｒａｎｄｏｍ  Ａｃｃｅｓｓ  Ｍｅｍｏｒｙ）から構成される。そして、アンテナ２２等を介して受信した文字データ等が保存される。また、図４には示していないが、携帯電話機１には、読み出し専用であるＲＯＭ（Ｒｅａｄ  Ｏｎｌｙ  Ｍｅｍｏｒｙ）からなるメモリもあり、出荷時に、予め、設定された画像データ、音楽データ等が保存されている。
【００４２】
電源２７は、二次電池等により構成され、電源制御部２６の指示に基づき、種々のアプリケーションに電源を供給する。電源制御部２６は、磁気センサー２８からの開閉信号に基づき、副表示部５に対して、間欠的に電源を供給させる。ここで、間欠的に電源を供給させるとは、携帯電話機１が開成状態の場合には、副表示部５へと電源を供給し、携帯電話機１が閉成状態の場合には、副表示部５への電源供給を停止することを意味する。
【００４３】
磁気センサー２８は、表面側筐体２と裏面側筐体３とが開成状態にあるか、閉成状態にあるかを検知する。例えば、磁気センサー２８は、表面側筐体２の裏面側に配置されている。そして、裏面側筐体３の表面側、つまり、表面側筐体２の裏面と対峙する面側には、磁石等が配置されている。そして、表面側筐体２と裏面側筐体３とが開成状態となると、磁気センサー２８は磁気を感知し、制御部２０へと開閉信号を送信する。
【００４４】
バス２９は、システムにおけるデータバス、制御信号バスとして用いられる。
【００４５】
尚、本実施の形態では、主表示部４及び副表示部５は本発明の表示手段に対応し、表示制御部２５は本発明の表示制御手段に対応し、表示切替キーは本発明の表示切替手段に対応する。但し、本実施の形態は本発明の一実施形態を例示したものであり、本発明の表示手段、表示制御手段、表示切替手段は上述した用途及び機能を果たせば良く、本発明の趣旨を逸脱しない範囲で種々の応用が可能であり、本発明が本実施の形態に限定されないことはいうまでもない。
【００４６】
次に、図５から図７を参照し、携帯電話機１の主表示部４と副表示部５とを用いた表示方法に関して説明する。図５は、本発明の一実施の形態である携帯電話機の主表示部及び副表示部を用いた表示方法を説明するためのフローチャートである。図６は、本発明の一実施の形態である携帯電話機の（Ａ）主表示部及び副表示部の表示画面、（Ｂ）主表示部及び副表示部の表示画面である。図７は、同携帯電話機の（Ａ）主表示部及び副表示部の表示画面、（Ｂ）主表示部及び副表示部の表示画面、（Ｃ）主表示部及び副表示部の表示画面である。
【００４７】
尚、図６及び図７では、表面側筐体２と裏面側筐体３とを開成状態した場合における、主表示部４及び副表示部５のみを示している。そして、図６及び図７に示した主表示部４及び副表示部５は、図５に示すフローチャートと対応し、以下のフローチャートの説明内に、適宜、引用してフローチャートの説明を補足する。
【００４８】
図５に示す如く、本実施の形態では、使用者が、携帯電話機１のキー操作部８を操作し、メニューモードの起動を指示すると（ステップＳ１）、制御部２０の制御信号に基づき、表示制御部２５は、主表示部４にメニューリストを表示させる（ステップＳ２）。そして、使用者が表示画面に従い、キー操作部８の、例えば、十字キーを操作し、画面上で所望のメニューをカーソル選択すると（ステップＳ３）、制御部２０の制御信号に基づき、表示制御部２５は、主表示部４にヘルプアイコン５１（図６（Ａ）参照）を表示させる。
【００４９】
具体的には、図６（Ａ）に示す如く、ステップＳ２に対応し、主表示部４にはメニューリスト画面が表示される。このとき、予め、使用者が、裏面側筐体３をスライドさせることで、あるいは、主表示部４を確認後、裏面側筐体３をスライドさせることで、電源制御部２６は、副表示部５への電源供給を開始する。その後、使用者は、主表示部４に表示されたメニューリストを確認し、キー操作部８を操作し、例えば、４．時計機能にカーソルを移動させると、主表示部４にヘルプアイコン５１が表示される。
【００５０】
次に、使用者は、主表示部４を確認し、ヘルプアイコン５１に対応するキー操作部８を押下すると（ステップＳ４のＹＥＳ）、制御部２０の制御信号に基づき、表示制御部２５は、副表示部５に、カーソル選択されたメニューのヘルプ情報を表示させる（ステップＳ５）。その一方で、表示制御部２５は、主表示部４に戻るアイコン５２（図６（Ｂ）参照）及び画面切替アイコン５３（図６（Ｂ）参照）を表示させる。
【００５１】
具体的には、図６（Ｂ）に示す如く、使用者が、ヘルプアイコン５１に対応するキー操作部８を押下すると、副表示部５にヘルプ情報が表示される。例えば、副表示部５には、使用者が、４．時計機能を選択すると、どのような設定を行うことができるかという、補助的な説明が表示される。
【００５２】
その後、使用者は、副表示部５のヘルプ情報を確認した後、戻るアイコン５２に対応するキー操作部８を押下すると（ステップＳ６のＹＥＳ）、主表示部４にメニューリストが表示された状態へと戻る（ステップＳ２）。
【００５３】
具体的には、図６（Ｂ）に示す如く、使用者が、主表示部４及び副表示部５を確認し、戻るアイコン５２に対応するキー操作部８を押下すると、図６（Ａ）への画面表示へと移行し、副表示部５からヘルプ情報が消える。
【００５４】
一方、ステップＳ６において、使用者は、戻るアイコン５２（図７（Ａ）参照）に対応するキー操作部８を押下せず（ステップＳ６のＮＯ）、画面切替アイコン５３（図７（Ａ）参照）に対応するキー操作部８を押下すると（ステップＳ７のＹＥＳ）、制御部２０の制御信号に基づき、表示制御部２５は、主表示部４にヘルプ情報を表示させ、副表示部５にメニューリストを表示させる（ステップＳ８）。使用者は、主表示部４に表示されたヘルプ情報を確認し、戻るアイコン５４（図７（Ｂ）参照）に対応するキー操作部８を押下すると（ステップＳ９のＹＥＳ）、再び、表示画面が切り替わり、主表示部４にメニューリストが表示され、副表示部５にヘルプ情報が表示される（ステップＳ５）。
【００５５】
具体的には、図７（Ａ）に示す如く、副表示部５には、ヘルプ情報の全てが、表示されていない。そして、使用者が、副表示部５のヘルプ情報を確認し、画面切替アイコン５３に対応するキー操作部８を押下すると、図７（Ｂ）に示す如く、主表示部４にヘルプ情報が表示され、副表示部５にメニューリストが表示される。そして、使用者は、主表示部４に表示されたヘルプ情報を確認するが、主表示部４は副表示部５よりも表示領域が大きく、主表示部４には、一度に、または、少ないスクロール操作で対応できるように、ヘルプ情報が表示される。つまり、使用者は、主表示部４と副表示部５との表示画面を切り替えることで、大きい表示領域を有する主表示部４を用いて、ヘルプ情報を確認することもできる。
【００５６】
一方、画面切り替え後の主表示部４には、戻るアイコン５４が表示されており、使用者が、戻るアイコン５４に対応するキー操作部８を押下すると、図７（Ａ）に示す如く、再び、主表示部４と副表示部５との表示画面が切り替えられる。尚、図７（Ｂ）に示す如く、副表示部５には、主表示部４のメニューリストの中でカーソル選択されていた部分は、少なくとも副表示部５に表示される。そのことで、使用者は、主表示部４に、何に対してのヘルプ情報が表示されているかを容易に判断することができる。
【００５７】
一方、ステップＳ９において、使用者は、戻るアイコン５４に対応するキー操作部８を押下せず（ステップＳ９のＮＯ）、主表示部４に表示されたヘルプ情報画面内の言葉をカーソル選択すると（ステップＳ１０のＹＥＳ）、制御部２０の制御信号に基づき、表示制御部２５は、副表示部５にカーソル選択された言葉のヘルプ情報を表示させる（ステップＳ１１）。その一方で、表示制御部２５は、主表示部４に戻るアイコン５５（図７（Ｃ）参照）を表示させる。
【００５８】
使用者は、副表示部５に表示されたヘルプ情報を確認し、戻るアイコン５５に対応するキー操作部８を押下すると（ステップＳ１２のＹＥＳ）、主表示部４にヘルプ情報が表示され、副表示部５にメニューリストが表示された状態へと戻る（ステップＳ８）。また、使用者が、戻るアイコン５５に対応するキー操作部８を押下しないと（ステップＳ１２のＮＯ）、副表示部５にカーソル選択された言葉のヘルプ情報が表示された状態のままである（ステップＳ１１）。尚、ステップＳ１０において、主表示部４に表示されたヘルプ情報内の言葉をカーソル選択しない場合には（ステップＳ１０のＮＯ）、主表示部４にヘルプ情報が表示され、副表示部５にメニューリストが表示された状態のままである（ステップＳ８）。
【００５９】
具体的には、図７（Ｃ）に示す如く、主表示部４にはヘルプ情報が表示されており、使用者が、キー操作部８を操作し、カーソル選択するこができる言葉を選択すると、カーソル選択された言葉のヘルプ情報が副表示部５へ表示される。そして、使用者は、副表示部５を確認し、戻るアイコン５５に対応するキー操作部８を押下すると、図７（Ｂ）に示す画面へと戻る。
【００６０】
また、ステップＳ４において、使用者が、ヘルプアイコン５１に対応するキー操作部８を押下しない場合で（ステップＳ４のＮＯ）、あるいは、ステップＳ７において、使用者が、画面切替アイコン５３に対応するキー操作部８を押下しない場合で（ステップＳ７のＮＯ）、使用者が、選択したメニューを決定するキー操作部８を押下すると（ステップＳ１３）、制御部２０の制御信号に基づき、表示制御部２５は、主表示部４に選択したメニューの下位の階層の表示情報を主表示部４へ表示させる（ステップＳ１４）。その後、使用者は、メニューモードを終了させるキー操作部８を押下すると、メニューモードが終了し（ステップＳ１５）、主表示部４には待ち受け画面が表示される。
【００６１】
尚、上述したフローチャートでは、メニューリストから選択したメニューに対し、１つの下位の階層がある場合に関し説明したが、この場合に限定する必要はない。例えば、選択したメニューに段階的に複数の下位の階層が設定されている場合でも良い。そして、その場合には、同様に、複数の下位の階層の表示情報に対しても、ヘルプ情報を副表示部に表示させることができる。
【００６２】
上述したように、本実施の形態では、主表示部４に表示された表示情報の中から選択した文字等のヘルプ情報を副表示部５に表示させることができる。そして、使用者は、主表示部４の表示情報を見ながら、副表示部５に表示されたヘルプ情報を同時に可視することができる。つまり、使用者は、主表示部４の表示情報に対応するヘルプ情報を見る際に、主表示部４では、表示情報からヘルプ情報へと切り替える操作を行うことなく、副表示部５でヘルプ情報を確認することができる。
【００６３】
また、本実施の形態では、主表示部４に表示された表示情報と副表示部５に表示されたヘルプ情報とを切り替えて、主表示部４及び副表示部５にそれぞれ表示させることができる。つまり、ヘルプ情報が表示される副表示部５の表示領域が小さい場合でも、ヘルプ情報を主表示部４に表示させることができる。そのことで、携帯電話機１は、副表示部の表示領域を必要以上に大きくすることを抑えることができる。そして、使用者が、主表示部４及び副表示部５を共に用いる場合でも、携帯性、利便性を損なうことなく、携帯電話機１を扱うことができる。
【００６４】
尚、本実施の形態では、２つの表示部を有する場合について説明したが、その場合に限定するものではなく、例えば、３つ以上の表示部を有する場合にも、同様な効果を得ることができる。その他、本発明の要旨を逸脱しない範囲で、種々の変更が可能である。
【図面の簡単な説明】
【００６５】
【図１】本発明の一実施の形態である携帯電話機の副表示部が配置された裏面側筐体が開成状態である（Ａ）正面図、（Ｂ）側面図である。
【図２】同携帯電話機の副表示部が配置された裏面側筐体が閉成状態である（Ａ）正面図、（Ｂ）側面図である。
【図３】同携帯電話機のスライド式構造を説明するための（Ａ）展開図、（Ｂ）展開図である。
【図４】同携帯電話機の電気的構成を説明する概略機能ブロック図である。
【図５】同携帯電話機の主表示部及び副表示部を用いた表示方法を説明するためのフローチャートである。
【図６】同携帯電話機の（Ａ）主表示部及び副表示部の表示画面、（Ｂ）主表示部及び副表示部の表示画面である。
【図７】同携帯電話機の（Ａ）主表示部及び副表示部の表示画面、（Ｂ）主表示部及び副表示部の表示画面、（Ｃ）主表示部及び副表示部の表示画面である。
【符号の説明】
【００６６】
１          携帯電話機
２          表面側筐体
３          裏面側筐体
４          主表示部
５          副表示部
８          キー操作部
２０          制御部
２５          表示制御部
２６          電源制御部
２７          電源
２８          磁気センサー
【図１】
2005310005.tif 000003
【図２】
2005310005.tif 000004
【図３】
2005310005.tif 000005
【図４】
2005310005.tif 000006
【図５】
2005310005.tif 000007
【図６】
2005310005.tif 000008
【図７】
2005310005.tif 000009